(57)【要約】【課題】床下の底面による床面の傷つきが発生することなく、また床下に設けたブラシ、リップ等により塵埃を押し吸引できないことも防止し、より効率的に床面の塵埃を吸引でき性能、使用性を向上すること。【解決手段】本発明の電気掃除機の吸込具は、吸込具５の床下７の吸込口６の前方、後方の移動を検知する検知体１３を設け、検知体１３の検知によって上下に移動する移動体前１１を吸込口６の前方に、移動体後１２を吸込口６の後方にそれぞれ構成し、吸込具を前方へ移動させると、後方に配置されている移動体後１２が床面に接地し、吸込具を後方へ移動させると、前方に配置されている移動体前１１が床面に接地するものである。【選択図】図４
2014212822.tif 000002
【特許請求の範囲】
【請求項１】
塵埃を吸引する吸込口を備えた床下と、床下を覆う床上と、床下と床上により回動自在に保持されたパイプとを有した吸込具において、
前記吸込具は吸込具の前方、後方の移動を検知する検知体と、検知体の検知に合わせ上下に移動可能で、吸込口の前方と後方にそれぞれ配設された移動体前、移動体後ろを備え、
前記移動体前、移動体後は、吸込具の前方、後方の移動を検知体により検知し、吸込具が前方への移動時には移動体前は上方に移動、移動体後は下方に移動し、吸込具が後方に移動時には移動体前は下方に移動、移動体後は上方に移動するよう構成し、移動体前、移動体後がそれぞれ下方に移動した際に、前記移動体前の底面又は前記移動体後の床面接地部の底面が床面に接するように構成した電気掃除機の吸込具。
【請求項２】
検知体は一端を床面に接する検知部と一端を操作部からなり、検知部と操作部の間に回動軸を有したもので、操作部によって移動体前、移動体後をそれぞれ上下に移動させるよう構成した請求項１に記載の電気掃除機の吸込具。
【請求項３】
移動体前、移動体後は上下に移動可能な床面接地部と、回転自在な中心軸と、中心軸から伸び床面接地部に連結されるアーム部と、中心軸からアーム部と略反対方向に伸びたリブ体から構成される連結体を有し、かつ床面接地部もしく連結体のいずれかは、ばね体等により移動体前、移動体後を上方向に不勢し構成したもので、検知体の操作部により連結体のリブ体を移動させることで、移動体前、移動体後を床面方向に移動させる構成とした請求項１または請求項２に記載の電気掃除機の吸込具。
【請求項４】
移動体前、移動体後の床面接地部の底面をゴム体、ブラシ、布状の軟質体等で構成した請求項１〜３のいずれか１項に記載の電気掃除機の吸込具。
【請求項５】
検知体の検知部をゴム体、ブラシ、布状の軟質体等で構成した請求項１〜４のいずれか１項に記載の電気掃除機の吸込具。
【請求項６】
移動体前、移動体後を吸込口の幅と略同じ幅にて構成した請求項１〜５のいずれか１項に記載の電気掃除機の吸込具。
【請求項７】
移動体前、移動体後の下方への移動時に床面接地部底面は床面と近接するように構成し、かつ床面との距離を１ｍｍ以下とし構成した請求項１〜６のいずれか１項に記載の電気掃除機の吸込具。
【請求項８】
塵を吸い込む吸込口を有する電気掃除機の吸込具であり、前記吸込口の前方と後方夫々に移動体が配置されており、
前記吸込具が前方に移動すると、吸込口の後方に位置する前記移動体が下方に突出し、一方、前記吸込具が後方に移動すると、吸込口の前方に位置する前記移動体が下方に突出することを特徴とする電気掃除機の吸込具。
【発明の詳細な説明】
【技術分野】
【０００１】
本発明は電気掃除機用吸込具及びそれを用いた電気掃除機に関するものである。
【背景技術】
【０００２】
従来、この種の電気掃除機用吸込具は床面の傷つきを防止するため、吸込口を設けた床下が床面に接しないようにローラーを設ける。または吸込口の後にブラシやゴム体で構成したリップ体を設けて床下が床面に設置しないように構成している（例えば、特許文献１参照）。また、吸込口の前後にブラシやゴム体で構成したリップ体を構成したものもある。（例えば、特許文献２参照）
図７は、特許文献１に記載された従来の吸込具を示すものである。図７に示すように、吸込具１０１は、吸込口１０２と移動用ローラー１０３と吸込口１０２の後方に可動式のブラシ１０４と、固定式のリップ１０５を有する床下１０６と、床下１０６を覆う床上１０７と、床下１０６と床上１０７とで回動自在に保持されたパイプ１０８から構成されている。
【０００３】
図８は特許文献２に記載された従来の吸込具を示すものである。図８に示すように、吸込口１０２の前後にブラシ１０４を構成している。
【先行技術文献】
【特許文献】
【０００４】
【特許文献１】実開昭６３−０４８５５０号公報
【特許文献２】特開昭６０−１２２５３０号公報
【発明の概要】
【発明が解決しようとする課題】
【０００５】
しかしながら、前記従来の構成では、移動用のローラー１０３により床下１０６の底面は床面と接することなく吸込具１０１を前後に操作出来るものであるが、床下１０６の底面は床面よりある一定の距離を保って構成されている。吸込具１０１は吸込口１０２より床面の塵埃を吸引するが、その塵埃を吸引するためには、掃除機本体が発生させる負圧を吸込口１０２付近でより高めることがより効率的に塵埃を吸引できるが、前記のように床下と床面とに隙間を設けることは吸込口１０２付近の圧力が落ちてしまい、結果効率的に塵埃を吸引できない課題を有していた。
【０００６】
また、吸込み口の前方、後方にブラシ１０４、ゴム体等のリップ１０５を有したものもがあり、ブラシ１０４、リップ１０５を床面に接しさせることで、吸込口１０２の圧力を高める効果はあるが、ブラシ１０４、リップ１０５が吸込口１０２の後方に配設されている場合は、吸込具１０１を後方に動作させた際、床面の塵埃をブラシ１０４、リップ１０５などで押してしまい、吸込口１０２より吸引できない課題も有していた。
【０００７】
本発明は、前記従来の課題を解決するもので、床下の底面による床面の傷つきが発生することなく、また床下に設けたブラシ、リップ等により塵埃を押し吸引できないことも防止し、より効率的に床面の塵埃を吸引でき性能、使用性を向上した電気掃除機の吸込具を提供することを目的とする。
【課題を解決するための手段】
【０００８】
前記従来の課題を解決するために、本発明の電気掃除機の吸込具は、塵埃を吸引する吸込口を備えた床下と、床下を覆う床上と、床下と床上により回動自在に保持されたパイプ
とを有した吸込具において、前記吸込具は吸込具の前方、後方の移動を検知する検知体と、検知体の検知に合わせ上下に移動可能で、吸込口の前方と後方にそれぞれ配設された移動体前、移動体後ろを備え、前記移動体前、移動体後は、吸込具の前方、後方の移動を検知体により検知し、吸込具が前方への移動時には移動体前は上方に移動、移動体後は下方に移動し、吸込具が後方に移動時には移動体前は下方に移動、移動体後は上方に移動するよう構成し、移動体前、移動体後がそれぞれ下方に移動した際に、前記移動体前の底面又は前記移動体後の床面接地部の底面が床面に接するように構成したものである。
【０００９】
これによって、吸込口の前方もしくは後方のいずれかが常に床面と接することにより、吸込口周辺の圧力を高めることが可能となり床面の塵埃をより多く吸引できるもので、吸込口の圧力高め塵埃をより効果的に吸引ができ性能を向上できる。また吸込具が前方へ移動時は吸込口の後方の移動体が床面と接することで、移動体により塵埃を押して吸込口より吸引できなくことを防止し使用性を向上できるものである。また後方への移動時は前方への移動と逆となり同様の使用性向上が行える電気掃除機の吸込具を提供することができる。
【発明の効果】
【００１０】
本発明の吸込み具は、床面の傷つきを防止し使用性を向上させるとともに、床面の塵埃をより効率的に吸引ができ性能を向上することができる。
【図面の簡単な説明】
【００１１】
【図１】本発明の実施の形態１における電気掃除機の概観図
【図２】本発明の実施の形態１における吸込具の斜視図
【図３】本発明の実施の形態１における吸込具底面の概観図
【図４】本発明の実施の形態１における吸込具の断面図
【図５】本発明の実施の形態１における（ａ）は吸込具の前方への移動時の断面図、（ｂ）は吸込具の後方への移動時の断面図
【図６】本発明の実施の形態２における（ａ）は吸込具の前方への移動時の断面図、（ｂ）は吸込具の後方への移動時の断面図
【図７】従来の吸込具の断面図
【図８】従来の吸込具底面の概観図
【発明を実施するための形態】
【００１２】
第１の発明は、前記従来の課題を解決するために、本発明の電気掃除機の吸込具は、塵埃を吸引する吸込口を備えた床下と、床下を覆う床上と、床下と床上により回動自在に保持されたパイプとを有した吸込具において、前記吸込具は吸込具の前方、後方の移動を検知する検知体と、検知体の検知に合わせ上下に移動可能で、吸込口の前方と後方にそれぞれ配設された移動体前、移動体後ろを備え、前記移動体前、移動体後は、吸込具の前方、後方の移動を検知体により検知し、吸込具が前方への移動時には移動体前は上方に移動、移動体後は下方に移動し、吸込具が後方に移動時には移動体前は下方に移動、移動体後は上方に移動するよう構成し、移動体前、移動体後がそれぞれ下方に移動した際に、前記移動体前の底面又は前記移動体後の床面接地部の底面が床面に接するように構成したものである。
【００１３】
吸込口の前方もしくは後方のいずれかが常に床面と接することにより、吸込口周辺の圧力を高めることが可能となり床面の塵埃をより多く吸引できるもので、吸込口の圧力高め塵埃をより効果的に吸引ができ性能を向上できる。また吸込具が前方へ移動時は吸込口の後方の移動体が床面と接することで、移動体により塵埃を押して吸込口より吸引できなくことを防止し使用性を向上できるものである。また後方への移動時は前記前方への移動と逆となり同様の使用性向上が行えるものである。
【００１４】
また、本発明の第２の発明は特に第１の発明において、検知体は一端を床面に接する検知部と一端を操作部からなり、検知部と操作部の間に回動軸を有したもので、操作部によって移動体前、移動体後をそれぞれ上下に移動させるよう構成したものであり、第１の発明の同様の効果が得られるとともに、より簡単な機構により構成することで確実な動作を安価に提供できるものである。
【００１５】
また、本発明の第３の発明は特に第１または第２の発明において、移動体前、移動体後は上下に移動可能な床面接地部と回転自在な中心軸と中心軸から伸び、床面接地部に連結されるアーム部と中心軸からアーム部と略反対方向に伸びたリブ体から構成される連結体を有し、かつ床面接地部もしく連結体のいずれかは、ばね体等により移動体前、移動体後を上方向に不勢し構成したものである。
【００１６】
検知体の操作部により連結体のリブ体を移動させることで、移動体前、移動体後を床面方向に移動させる構成としたものであり、第１、第２の発明の同様の効果が得られるとともに、より簡単な機構により構成することで確実な動作を安価に提供できるものである。
【００１７】
また、本発明の第４の発明は特に第１〜第３の発明において、移動体前、移動体後の床面接地部の底面をゴム体、ブラシ、布状の軟質体等で構成したものであり、床面と接する底面を軟質体で構成することで、吸込口の圧力を高めながら床面の傷つきを防止できるもので、さらに使用性の向上が行えるものである。
【００１８】
また、本発明の第５の発明は特に第１〜第４の発明において、検知体の検知部をゴム体、ブラシ、布状の軟質体等で構成したものであり、常に床面と接し吸込具の移動を検知する検知部を軟質体で構成することで、床面の傷つきを防止できるもので、さらに使用性の向上が行えるものである。
【００１９】
また、本発明の第６の発明は特に第１〜第５の発明において、移動体前、移動体後を吸込口の幅と略同じ幅にて構成したものであり、吸込口の両端の圧力が加わり難い部分も圧力を高めることが可能となり、より塵埃の吸引が可能でさらに性能の向上が行えるものである。
【００２０】
また、本発明の第７の発明は特に第１〜第６の発明において、移動体前、移動体後の下方への移動時に床面接地部底面は床面と近接するように構成し、かつ床面との距離を１ｍｍ以下とし構成したものであり、移動前、移動体後がそれぞれ下方に移動した際にも移動体の底面と床面と接触させず１ｍｍ以下の隙間で近接させることにより、吸込口近傍の圧力を高めると同時に風の流れを遮断しないため、塵埃をより効果的に吸引することができるものである。
【００２１】
また、本発明の第８の発明は、塵を吸い込む吸込口を有する電気掃除機の吸込具であり、前記吸込口の前方と後方夫々に移動体が配置されており、前記吸込具が前方に移動すると、吸込口の後方に位置する前記移動体が下方に突出し、一方、前記吸込具が後方に移動すると、吸込口の前方に位置する前記移動体が下方に突出することを特徴とする電気掃除機の吸込具である。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における電気掃除機の概観図、図２は吸込具の斜視
図、図３は吸込具底面の断面図、図４は吸込具の断面図、図５（ａ）は吸込具の前方への移動時の断面図（ｂ）は吸込具の後方への移動時の断面図をそれぞれ示したものである。
【００２４】
図１において、１は吸引風を発生させる電動送風機（図示しない）を内蔵した電気掃除機本体であり、電気掃除機本体１に接続され、使用者が操作するハンドル２を有したホース３と、ハンドル２に接続された延長管４と、延長管４のハンドル２が接続された逆側に吸込具５が接続された構成となっている。
【００２５】
図２、３、４において吸込具５は、吸込口６を形成する床下７と床下７を上方より覆う床上８と、床下７と床上８により回動自在に保持されたパイプ９と、回転自在に保持された移動用のローラー１０を構成している。
【００２６】
次に床下７に上下に移動可能で、かつ吸込口６の前方に構成された、移動体前１１と、床下７に上下に移動可能で、かつ吸込口６の前方に構成された、移動体後１２と、回動自在に取り付けられた検知体１３により構成している。
【００２７】
尚、移動体前１１、１２は例えばブラシを用いても良いし、或いは、布製の部材、ゴムのような弾性体を用いても良い。移動体前１１、移動体後１２は吸込具５を移動させる際に塵等をかき集めるといった作用や、その際に床面を傷つけない作用を奏することが好ましいため、ブラシにより構成することが好ましい。
【００２８】
次に図５において、検知体１３は一端を床面に接する検知部１４と一端を操作部１５と検知部１４と操作部１５の間に回転部１６から構成されている。また、移動体前１１、移動体後１２は上下に移動可能な床面接地体１７と回転自在な中心軸１８と中心軸１８から伸び、床面接地体１７に連結されるアーム部１９と中心軸１８からアーム部１９と略反対方向に伸びたリブ体２０から構成される連結体から構成されており、ばね体２１により、連結体のアーム部１９の移動体前１１、移動体後１２部分が上方向に付勢されている。
【００２９】
以上のように構成された電気掃除機の吸込具について、以下その動作、作用を説明する。
【００３０】
まず、図４のように吸込口６は床下７、床上８、パイプにより構成された吸引通路２２に連結され、吸引通路２２は図１に示す延長管４、ハンドル２、ホース３を通じ掃除機本体１に連結される。これにより電動送風機が発生させる吸引風を吸込具５の吸込口６に伝える。床面の塵埃はこの吸引風の力と、吸引風が床下７と床面の間を通ることにより発生する負圧により吸込口６へと吸い上げられるものである。
【００３１】
次に図５に示すように、図５（ａ）は吸込具５を前方に移動させた時の図、図５（ｂ）は吸込具５を後方に移動させた時の図である。図５（ａ）で動作の説明をすると、吸込具５が前方に移動した際には、床面に接地している検知部１４は抵抗となり、回転部１６を中心に後方に回動する。その動作により操作部１５は逆に前方に回動し、連結体のリブ体２０を押し上げる。リブ体２０が操作部１５により押し上げられることで、連結体のアーム部１９は中心軸１８を中心に回動し下方へ回動する。アーム部１９の下方への移動により、アーム部１９に連結された移動体後１２の床面接地体１７が下方に移動し床面接地体１７の底面が床面に接地するものである。
【００３２】
図５の（ｂ）は吸込具が後方に移動した際の図であり、各部の動作の連動は前に説明した前方に移動した動作と同様であるが、移動体前１１の床面接地体１７の底面が床面に接地するものである。この構成により、図５（ａ）では、吸込具５が前方に移動した際には吸込口６の後方の移動体後１２は床面に接地させることで、吸込口６周辺の床下７と床面
との間を通る吸引風の通路を少なくすることとなる。これは、同一の風量をより少ない通路を通すことで吸込口６周辺の負圧を高める効果を生み、結果、吸込口６周辺の圧力を高めることで、より多くの塵埃を床面より吸い上げることが可能となる。また吸込口６の前方の移動体前１１は床面との空間を確保しているため、吸込具５を前進させた際に、吸込口６の前方に床面と接するものがないため、床面の塵埃を押してしまい結果、吸込口６より塵埃を吸引できないことを防止でるものである。
【００３３】
次に図４、図５に示すように、移動体前１１、移動体後１２の床面接地体１７の底面と、検知体１３の検知部１４をゴム体、ブラシ、布状の軟質体などで構成することで、床面に接する部分を軟質体等で構成することによって床面の傷つきを防止することができる。
【００３４】
次に図３に示すように、移動体前１１と移動体後１２を吸込口６の幅と略同幅にて構成したもので、吸引風を伝えるパイプ９は吸込具５の中心付近にあり、パイプ９より遠ざかる吸込口６の両端は圧力が低下してしまう。そのため、移動体前１１、移動体後１２を吸込口６と略同一幅とすることで、吸込口６の両端の圧力も高めることが可能となり、より塵埃の吸引が可能でさらに性能を向上させることができる。
【００３５】
また本発明ではハンドル２、ホース３、延長管４を有する電気掃除機としたが、掃除機本体の下に形成された吸込具と本体上部より延びたパイプ、ハンドル部を有する縦型の掃除機。また手持ち式の掃除機の吸込み具でも同様の効果が得られる。
【００３６】
また、本発明では吸込具の移動用ローラーを前方に２個、後方に２個としたが、移動用ローラーを有しない吸込具、前方のみ、もしくは後方のみに構成されても同様の効果が得られる。
【００３７】
（実施の形態２）
図６は、本発明の第２の実施の形態を説明するための図である。図６（ａ）は吸込具を前方へ移動する際の断面図、図６（ｂ）は吸込具を後方へ移動させる際の断面図である。
【００３８】
次に図６に示すように、図６（ａ）は吸込具５を前方に移動させた際の図、図６（ｂ）は吸込具５を後方に移動させた際の図である。
【００３９】
図６（ａ）での動作を説明すると、各部の動作は実施の形態１に示したものと同一であり、吸込具５を前方に移動させた際には移動体後１２が下方に移動する。その際、移動体後１２の床面接地体１７の底面は床面と接触させず１ｍｍ以下の隙間で近接させる構成としたものである。図６（ｂ）の吸込具５の後方への移動時はことにより移動体前１１が下方に移動する。その際、移動体前１１の床面接地体１７の底面は床面と接触させず１ｍｍ以下の隙間で近接させる構成としたものである。
【００４０】
以上のように構成された電気掃除機の吸込具について、以下その動作、作用を説明する。
図６（ａ）（ｂ）のように、床面接地体１７の底面を床面と接触させず１ｍｍ以下の隙間で近接させることで、吸込口６周辺の床下７と床面との間を通る吸引風の通路を少なくし吸込口６周辺の負圧を高めることが可能となるだけでなく、１ｍｍ以下の微小な隙間を設けることで、吸引風の流れを遮断しないため、吸引風による塵埃の吸引の効果も得られるもので、より効果的に塵埃を吸引することができるものである。
【産業上の利用可能性】
【００４１】
以上のように、本発明にかかる電気掃除機の吸込具は、吸込口の前方と後方にそれぞれ、吸込具の移動を検知し上下に移動する移動体前、移動体後を設けることで、使用性、塵
埃吸引性能を向上させることが可能となるので、電機掃除機吸込具を用いる家庭用電気掃除機及び産業用電気掃除機の分野・用途に好適に運用することができる。
【符号の説明】
【００４２】
５  吸込具
６  吸込口
７  床下
１１  移動体前
１２  移動体後
１３  検知体
１４  検知部
１５  操作部
１６  回転部
１７  床面接地体
１８  中心軸
１９  アーム部
２０  リブ体
【図１】
2014212822.tif 000003
【図２】
2014212822.tif 000004
【図３】
2014212822.tif 000005
【図４】
2014212822.tif 000006
【図５】
2014212822.tif 000007
【図６】
2014212822.tif 000008
【図７】
2014212822.tif 000009
【図８】
2014212822.tif 000010